(57)【要約】【課題】ワイヤーロープに生じていた曲げ応力や捻り応力を少なくして、ワイヤーロープの疲労寿命を大幅の延長したエレベータの制御ケーブル装置を得る。【解決手段】昇降路を昇降するかごに一端が連結され、かつ他端が建物側に連結される制御ケーブル１０であって、該制御ケーブルから取り出された撚り方向の互いに異なる複数のワイヤーロープ６、７をかごに設けられたケーブルハンガー３に保持することにより制御ケーブルを連結するようにしたものにおいて、各ワイヤーロープ６、７の上端部を、楔状の締結具１２で別々に保持する。【選択図】図１
2007261724.tif 000002
【特許請求の範囲】
【請求項１】
昇降路を昇降するかごに一端が連結され、かつ他端が建物側に連結される制御ケーブルであって、該制御ケーブルから取り出された撚り方向の互いに異なる複数のワイヤーロープを前記かごに設けられたケーブルハンガーに保持することにより前記制御ケーブルを連結するようにしたエレベータの制御ケーブル装置において、
前記各ワイヤーロープの上端部を、楔状の締結具で別々に保持したことを特徴とするエレベータの制御ケーブル装置。
【請求項２】
各ワイヤーロープの上端部のワイヤー保持部に、押しバネ又はゴムと、ワイヤーロープの伸び又はワイヤーロープの断線を検出する検出装置とを備えたことを特徴とする請求項１記載のエレベータの制御ケーブル装置。
【請求項３】
各ワイヤーロープの上端部のワイヤー保持部に、ワイヤーロープの伸び又はワイヤーロープの断線を検出するロードセルを備えたことを特徴とする請求項１記載のエレベータの制御ケーブル装置。
【請求項４】
昇降路を昇降するかごに一端が連結され、かつ他端が建物側に連結される制御ケーブルであって、該制御ケーブルから取り出された撚り方向の互いに異なる複数のワイヤーロープを前記かごに設けられたケーブルハンガーに保持することにより前記制御ケーブルを連結するようにしたエレベータの制御ケーブル装置において、
前記各ワイヤーロープの上端部にシャックルロッドを設け、各シャックルロッドの上端部のナットを調整することにより、各ワイヤーロープのロープ張力を調整可能としたことを特徴とするエレベータの制御ケーブル装置。
【請求項５】
昇降路を昇降するかごに一端が連結され、かつ他端が建物側に連結される制御ケーブルであって、該制御ケーブルから取り出された撚り方向の互いに異なる複数のワイヤーロープを前記かごに設けられたケーブルハンガーに保持することにより前記制御ケーブルを連結するようにしたエレベータの制御ケーブル装置において、
前記各ワイヤーロープの上端部のワイヤー保持部を、天秤式の締結具で保持したことを特徴とするエレベータの制御ケーブル装置。
【請求項６】
昇降路を昇降するかごに一端が連結され、かつ他端が建物側に連結される制御ケーブルであって、該制御ケーブルから取り出された撚り方向の互いに異なる複数のワイヤーロープを前記かごに設けられたケーブルハンガーに保持することにより前記制御ケーブルを連結するようにしたエレベータの制御ケーブル装置において、
前記各ワイヤーロープの上端部のワイヤー保持部を、ラックとピニオン式締結具の組み合わせで保持したことを特徴とするエレベータの制御ケーブル装置。
【発明の詳細な説明】
【技術分野】
【０００１】
この発明は、エレベータの制御ケーブル装置に関するものである。
【背景技術】
【０００２】
従来のエレベータの制御ケーブル装置の構成を図９により説明する。図９は従来のエレベータの制御ケーブル装置の要部を示す正面図と側面図である。
図において、エレベータの制御ケーブル１０は、昇降路を昇降するかごに一端が連結され、かつ他端が建物側に連結されており、撚り方向の互いに異なるワイヤーロープが挿通されている。ケーブルハンガー３は、かご床の下部に取り付けられている。ケーブルハンガー３に挿入した軸１にはカラー２が支持されている。カラー２の両側面に沿って軸１に挿通された取付金４の下部にはホルダー５が取り付けられている。カラー２の外周部に設けた溝部に制御ケーブル１０から取り出したＳ撚りワイヤーロープ６とＺ撚りワイヤーロープ７を巻き掛け、ワイヤークリップ９で締結して取り付けられている。カラー２の径と制御ケーブル１０から取り出したワイヤーロープ６、７の位置を合わせるために、ホルダー５が取り付けられ、ワイヤークリップ９の取付部の上端部及び下端部には捻回防止具８が取り付けられている（例えば、特許文献１参照）
【０００３】
【特許文献１】特開平９−１３２３６６号公報
【発明の開示】
【発明が解決しようとする課題】
【０００４】
従来のように構成されたエレベータの制御ケーブル装置では、建築物の高層化に伴い、エレベータの昇降時に生じる制御ケーブルの荷重変動が極めて大きくなる。例えば、エレベータが下部に位置すると制御ケーブルの荷重が限りなく小さくなり、反対にエレベータが上部に位置すると制御ケーブルの荷重が大きくなって掛かることになる。そこで、カラー２に巻き掛けられたＳ撚りワイヤーロープ６に生じる繰り返し曲げ応力と、制御ケーブル１０の荷重変動により、制御ケーブル１０から取り出したＳ撚りワイヤーロープ６とＺ撚りワイヤーロープ７をワイヤークリップ９で連結した接続部で捻回が生じる。この捻回から生じる繰り返し捻り応力によりＳ撚りワイヤーロープ６及びＺ撚りワイヤーロープ７の疲労寿命が低減し、断線するという問題があった。また、カラーに巻き掛けられたワイヤー部においてもワイヤーロープに曲げ疲労が生じ、ロープ寿命が低減し、断線するという問題があった。もし、ワイヤーロープが断線して他の機器に引っ掛ることで重大な事故に繋がる可能性もあった。
【０００５】
この発明は上記のような課題を解決するためになされたもので、各々のワイヤーロープを独立して固定し、ワイヤーロープに生じていた曲げ応力や捻り応力を少なくすることができ、ワイヤーロープの疲労寿命を大幅の延長したエレベータの制御ケーブル装置を提供するものである。
【課題を解決するための手段】
【０００６】
この発明に係るエレベータの制御ケーブル装置は、昇降路を昇降するかごに一端が連結され、かつ他端が建物側に連結される制御ケーブルであって、該制御ケーブルから取り出された撚り方向の互いに異なる複数のワイヤーロープをかごに設けられたケーブルハンガーに保持することにより制御ケーブルを連結するようにしたものにおいて、各ワイヤーロープの上端部を、楔状の締結具で別々に保持したものである。
【０００７】
また、各ワイヤーロープの上端部のワイヤー保持部に、押しバネ又はゴムと、ワイヤーロープの伸び又はワイヤーロープの断線を検出する検出装置とを備えたものである。
【０００８】
また、各ワイヤーロープの上端部にシャックルロッドを設け、各シャックルロッドの上端部のナットを調整することにより、各ワイヤーロープのロープ張力を調整可能としたものである。
【発明の効果】
【０００９】
この発明によれば、各ワイヤーロープの上端部を楔状の締結具で別々に保持したので、ワイヤーロープに生じていた曲げ応力や捻り応力を少なくすることができ、ワイヤーロープの疲労寿命を大幅の延長することができるという効果がある。
【発明を実施するための最良の形態】
【００１０】
実施の形態１.
図１はこの発明の実施の形態１におけるエレベータの制御ケーブル装置の要部を示す正面図と側面図、図２はこの発明の実施の形態１におけるエレベータの制御ケーブル装置に用いる分割型くわえ金を示す斜視図である。
【００１１】
図において、エレベータの制御ケーブル１０は、昇降路を昇降するかごに一端が連結され、かつ他端が建物側に連結されており、撚り方向の互いに異なるワイヤーロープが挿通されている。コ字形のケーブルハンガー３はかご床の下部に取り付けられている。コ字形のケーブルハンガー３の上端部水平片の２箇所には、一対の円筒状固定具１１がバネ１３を介してケーブルハンガー３上にそれぞれ起立して固定されており、円筒状固定具１１はケーブルハンガー３の上方に延長している。制御ケーブル１０から取り出されたＳ撚りワイヤーロープ６及びＺ撚りワイヤーロープ７の各端部は、一対の円筒状固定具１１の中にそれぞれ通されて、そこで、図２に示す二分割された楔状のくわえ金１２で両側から挟み込まれて締結固定されている。また、上記コ字形のケーブルハンガー３の上端部水平片上で、かつ各ワイヤーロープの上端部に隣接してバネ１３の撓み量を検出する検出スイッチ１４が設置されている。そして、検出スイッチ１４の作動部は、各ワイヤーロープの上端部を挿通固定する円筒状固定具１１の上部側面に設けられた先端コ字形の作動片１５内に臨ませている。この作動片１５はバネ１３の撓み量の変化に応じて上下方向に移動する。
なお、ここでは、検出スイッチ１４と作動片１５をＺ撚りワイヤーロープ７に設けた場合を図示しているが、Ｓ撚りワイヤーロープ６側にも設けられるものである。
【００１２】
上記のように、制御ケーブル１０のＳ撚りワイヤーロープ６及びＺ撚りワイヤーロープ７を各々独立して保持することにしたので、Ｓ撚りワイヤーロープ６及びＺ撚りワイヤーロープ７に曲げや捻り応力が生じないため、ワイヤーロープの疲労寿命を大幅に延長することができ、昇降行程が高い建築物でも対応が可能になることからコストの削減にもなる。
更に、ワイヤーロープの上端部に検出スイッチ１４を設置したので、各々のワイヤーロープの伸びによるロープの張力の違い、又はワイヤーロープが断線した時に生じるロープ張力の違いをバネ１３の撓み量の違いにより検出可能となり、エレベータの安全性を確保することができる。また、検出スイッチ１４の動作時のみにメンテナンスすればよいため、保守の省力化にもなる。
【００１３】
実施の形態２.
図３はこの発明の実施の形態２におけるエレベータの制御ケーブル装置の要部を示す正面図と側面図である。なお、図中、実施の形態１と同一又は相当部分に同一符号で示し、説明を省略する。
【００１４】
この実施の形態２においては、制御ケーブル１０から取り出されたＳ撚りワイヤーロープ６及びＺ撚りワイヤーロープ７の各端部は、シャックルロッド１６で締結されている。そして、シャックルロッド１６の上端部は、コ字状のケーブルハンガー３を貫通してその上方に延長し、バネ１３を介してケーブルハンガー３上にそれぞれ固定されている。シャックルロッド１６のナット１７によりロープ張力の調整が可能となり、据付け・保守性が一層容易となる。
このように構成した場合でも、実施の形態１と同様の効果を得ることができる。
【００１５】
実施の形態３.
図４はこの発明の実施の形態３におけるエレベータの制御ケーブル装置の要部を示す正面図と側面図である。なお、図中、実施の形態１、２と同一又は相当部分に同一符号で示し、説明を省略する。
【００１６】
この実施の形態３においては、制御ケーブル１０から取り出されたＳ撚りワイヤーロープ６及びＺ撚りワイヤーロープ７の各端部は、実施の形態２と同様に、シャックルロッド１６で締結されている。そして、シャックルロッド１６の上端部は、コ字状のケーブルハンガー３を貫通してその上方に延長し、防振ゴム１８を介してケーブルハンガー３上にそれぞれ固定されている。また、上記コ字形のケーブルハンガー３の上端部水平片の下面で、かつＺ撚りワイヤーロープ７の上端部に隣接して防振ゴム１８の撓み量を検出する作動トランス１９が設置されている。
これにより、実施の形態２と同様の効果が得られる。
【００１７】
実施の形態４.
図５はこの発明の実施の形態４におけるエレベータの制御ケーブル装置の要部を示す正面図と側面図である。なお、図中、実施の形態１、２、３と同一又は相当部分に同一符号で示し、説明を省略する。
【００１８】
上記実施の形態３では、シャックルロッド１６の上端部を防振ゴム１８を介してケーブルハンガー３上にそれぞれ固定し、防振ゴム１８の撓み量を作動トランス１９で検出しているが、この実施の形態４においては、防振ゴム１８と作動トランス１９の代わりに、ロードセル２０を設けたものである。
これにより、実施の形態３と同様の効果が得られる。
【００１９】
実施の形態５.
図６はこの発明の実施の形態５におけるエレベータの制御ケーブル装置の要部を示す正面図と側面図である。なお、図中、実施の形態１、２と同一又は相当部分に同一符号で示し、説明を省略する。
【００２０】
この実施の形態５においては、制御ケーブル１０から取り出されたＳ撚りワイヤーロープ６及びＺ撚りワイヤーロープ７の各端部に締結したシャックルロッド１６の上端部を、ケーブルハンガー３に吊り下げ固定された天秤装置２１の両端部にそれぞれピン２２で固定している。天秤装置２１の中央部はピン２２により回動可能となっており、天秤装置２１により互いのワイヤーロープ６、７を繋ぐことで、各々のロープの張力は均等になる。また、ロープ張力の違いにより天秤装置２１が傾いた場合でも、ロープ間ピッチが変わらないように、ワイヤーロープ６、７間の下部にホルダー２３を設けている。
このように構成した場合でも、ロープの延命を図ることができる。
【００２１】
実施の形態６.
図７はこの発明の実施の形態６におけるエレベータの制御ケーブル装置の要部を示す正面図と側面図である。なお、図中、実施の形態１、５と同一又は相当部分に同一符号で示し、説明を省略する。
【００２２】
上記実施の形態５では、制御ケーブル１０から取り出されたＳ撚りワイヤーロープ６及びＺ撚りワイヤーロープ７の各端部に締結したシャックルロッド１６の上端部を、ケーブルハンガー３に吊り下げ固定された天秤装置２１の両端部にそれぞれピン２２で固定しているが、この実施の形態６においては、シャックルロッド１６の上端部を、端部を球面加工した球面ナット２４で支持し、ケーブルハンガー３に吊り下げ固定された天秤装置２１の両端部に固定している。
これにより、実施の形態５と同様の効果が得られる。
【００２３】
実施の形態７.
図８はこの発明の実施の形態７におけるエレベータの制御ケーブル装置の要部を示す正面図と側面図と平面図である。なお、図中、実施の形態１、２と同一又は相当部分に同一符号で示し、説明を省略する。
【００２４】
上記実施の形態７においては、制御ケーブル１０から取り出されたＳ撚りワイヤーロープ６及びＺ撚りワイヤーロープ７の各端部に締結したシャックルロッド１６の上部にラック２５を設けるとともに、これら両ラック２５間において互いに噛み合うピニオンギヤ２６をケーブルハンガー３の上端部水平片上に固定している。
このように構成した場合でも、ロープの延命を図ることができる。
【図面の簡単な説明】
【００２５】
【図１】この発明の実施の形態１におけるエレベータの制御ケーブル装置の要部を示す正面図と側面図である。
【図２】この発明の実施の形態１におけるエレベータの制御ケーブル装置に用いる分割型くわえ金を示す斜視図である。
【図３】この発明の実施の形態２におけるエレベータの制御ケーブル装置の要部を示す正面図と側面図である。
【図４】この発明の実施の形態３におけるエレベータの制御ケーブル装置の要部を示す正面図と側面図である。
【図５】この発明の実施の形態４におけるエレベータの制御ケーブル装置の要部を示す正面図と側面図である。
【図６】この発明の実施の形態５におけるエレベータの制御ケーブル装置の要部を示す正面図と側面図である。
【図７】この発明の実施の形態６におけるエレベータの制御ケーブル装置の要部を示す正面図と側面図である。
【図８】この発明の実施の形態７におけるエレベータの制御ケーブル装置の要部を示す正面図と側面図と平面図である。
【図９】従来のエレベータの制御ケーブル装置の要部を示す正面図と側面図である。
【符号の説明】
【００２６】
１  軸
２  カラー
３  ケーブルハンガー
４  取付金
５  ホルダー
６  Ｓ撚りワイヤーロープ
７  Ｚ撚りワイヤーロープ
８  捻回防止具
９  ワイヤークリップ
１０  制御ケーブル
１１  円筒状固定具
１２  くわえ金
１３  バネ
１４  検出スイッチ
１５  作動片
１６  シャックルロッド
１７  ナット
１８  防振ゴム
１９  作動トランス
２０  ロードセル
２１  天秤装置
２２  ピン
２３  ホルダー
２４  球面ナット
２５  ラック
２６  ピニオンギヤ
【図１】
2007261724.tif 000003
【図２】
2007261724.tif 000004
【図３】
2007261724.tif 000005
【図４】
2007261724.tif 000006
【図５】
2007261724.tif 000007
【図６】
2007261724.tif 000008
【図７】
2007261724.tif 000009
【図８】
2007261724.tif 000010
【図９】
2007261724.tif 000011